(57)【特許請求の範囲】
【請求項１】
金型により成形される合成樹脂製の筆記具の軸筒を構成する複数の構成部材の各々に雄ネジ部又は雌ネジ部を形成し、複数の構成部材を雄ネジ部と雌ネジ部のネジ嵌合により連結してなる筆記具の軸筒であって、前記雄ネジ部のネジ山の先端面を、軸心に沿った方向に対し、前記雄ネジ部のネジ山の先端面に連接する前記雄ネジ部のネジ山とネジ山間の谷部側、且つ前記雄ネジ部の先端面からネジ山の形成方向に傾斜、及び／又は雌ネジ部のネジ山の先端面を、軸心に沿った方向に対し、前記雌ネジ部のネジ山の先端面に連接する前記雌ネジ部のネジ山とネジ山間の谷部側、且つ前記雌ネジ部の先端面からネジ山の形成方向に傾斜することを特徴とする筆記具の軸筒。
【発明の詳細な説明】
【０００１】
【発明の属する技術分野】
本発明は、筆記具の軸筒を構成する複数の構成部材をネジ嵌合により連結してなる筆記具の軸筒に関する。
【０００２】
【従来の技術】
従来から、筆記具の軸筒を構成する前軸に形成したネジ部（例えば雄ネジ部）と後軸に形成したネジ部（例えば雌ネジ部）をネジ嵌合により連結する構造等、筆記具の軸筒構成部材をネジ嵌合に連結する構造の筆記具の軸筒はよく知られている。また、こうした筆記具の軸筒を用いた筆記具、特に低価格品の筆記具では大量生産が望まれており、生産数アップを考慮して機械組みを行うことが一般的であり、そのために作業効率のよい機械組みに適した筆記具の軸筒が望まれている。
【０００３】
筆記具の軸筒の組立方法においては、手組みであれば、雄ねじ部及び雌ねじ部の位置関係を目視で確認し、初期のネジ嵌合を調整することができるが、前述したように、大量生産に適した機械組みが望まれており、機械組みの場合には例えば、固定保持した前軸に後軸を当接させ、後軸を回転することによりネジ嵌合を行う際には、機械の振動や製品のバラツキ等により前軸と後軸に位置ずれが生じて、初期のネジ嵌合がうまくいかず、機械により強制的に回転力を加えてもネジ嵌合が終了せず、機械停止の原因となり作業効率が著しく低下するだけでなく、この状態で後軸に回転力を付加し続けてしまうと前軸及び後軸を破損してしまうという問題があった。
【０００４】
【発明が解決しようとする課題】
ところで、従来の筆記具の軸筒におけるネジ部の形状は、図７から図１０に示すように、雄ネジ部３５と雌ネジ部３３共に、ネジ山３５ａ、３３ａの先端面３５ｂ、３３ｂは軸心に沿った対し平行に形成されている。そのため雄ネジ部のネジ山の先端面３５ｂが雌ネジ部３３に進入する初期のネジ嵌合において、雄ネジ部の先端面３５ｂが雌ネジ部の先端面３３ｂと衝突するため、ネジ嵌合し難いということが判った。
【０００５】
本発明者等はネジ嵌合について検討した結果、初期のネジ嵌合を確実に行うことが重要であり、初期のネジ嵌合を確実に行っていれば、その後はネジ嵌合終了まで回転力を加えるだけで容易にネジ嵌合を行うことができることに着目し本発明に至った。
【０００６】
本発明はこうした事実に鑑みてなされたもので、筆記具の軸筒を構成する複数の構成部材をネジ嵌合して連結してなる筆記具の軸筒において、初期のネジ嵌合における雄ネジ部と雌ネジ部のくいつきを良くし、機械の振動や製品のバラツキ等により、筆記具の軸筒構成部材のネジ嵌合の不具合による機械停止や組立における軸筒の破損が起こり難い、機械組みに適した筆記具の軸筒を提供するものである。
【０００７】
【課題を解決するための手段】
本発明は、金型により成形される合成樹脂製の筆記具の軸筒を構成する複数の構成部材の各々に雄ネジ部又は雌ネジ部を形成し、複数の構成部材を雄ネジ部と雌ネジ部のネジ嵌合により連結してなる筆記具の軸筒であって、前記雄ネジ部のネジ山の先端面を、軸心に沿った方向に対し、前記雄ネジ部のネジ山の先端面に連接する前記雄ネジ部のネジ山とネジ山間の谷部側、且つ前記雄ネジ部の先端面からネジ山の形成方向に傾斜、及び／又は雌ネジ部のネジ山の先端面を、軸心に沿った方向に対し、前記雌ネジ部のネジ山の先端面に連接する前記雌ネジ部のネジ山とネジ山間の谷部側、且つ前記雌ネジ部の先端面からネジ山の形成方向に傾斜することを特徴とする。
【０００８】
本発明の筆記具の軸筒とは、インキを充填したレフィールを収容した軸筒や、キャップを言う。筆記具の軸筒を構成する構成部材とは、例えば前者では口金、軸筒本体、尾冠等の部材を指し、後者では頭冠、キャップ本体等の部材を指し、いわゆる軸筒やキャップを構成する従来から知られている部材のことである。
【０００９】
【発明の実施の形態】
本発明の実施の形態を図面を用いて説明する。図１から図５に示す第１の実施の形態の筆記具の軸筒１は、軸筒本体２の後端内部に雌ネジ部３を設けた形状としてある。軸筒本体２は、ポリカーボネート樹脂を用いて射出成形により雌ネジ部３を同時に成形して得ている。
【００１０】
頭冠４には雄ネジ部５と、後方の外周面にはクリップ１２を一体に設けた形状としてある。頭冠４も軸筒本体２と同様にポリカーボネート樹脂を用いて射出成形により雄ネジ部５を同時に成形して得ている。
【００１１】
軸筒本体２の雌ネジ部３と頭冠４の雄ネジ部５をネジ嵌合して筆記具の軸筒１を得る。この時、軸筒本体２に雌ネジ部３を形成することにより得られるネジ山３ａの先端面３ｂを、図１に示すように、軸心に沿った方向と平行に設けるのではなく、軸心に沿った方向に対して雌ネジ部のネジ山３ａの先端面３ｂをネジ山３ａ間の谷部３ｃ側に傾斜させて設ける。同様に、頭冠４に形成した雄ネジ部５のネジ山５ａの先端面５ｂを、軸心に沿った方向に対して雄ネジ部５のネジ山５ａ間の谷部５ｃ側に傾斜させて設ける。この先端面３ｂ、５ｂを傾斜させることによって、雄ネジ部５が雌ネジ部３に進入する際に、雌ネジ部３のネジ山３ａの先端面３ｂと、雄ネジ部５のネジ山５ａの先端面５ｂとの接触する部分の抵抗が減少するので進入し易くなる。また、雄ネジ部５のネジ山５ａの先端面５ｂが、雌ネジ部３のネジ山３ａの先端面３ｂに当接しても、軸心に沿った方向に対して谷部側に傾斜してあることによって、結果的に傾斜方向（進入方向）に進行していくので、初期のネジ嵌合が容易に行える。そのため図示はしていないが、軸筒本体２を固定保持し、頭冠４を回転しながら軸筒本体２にネジ嵌合する機械組みであっても機械の振動や製品のバラツキ等により、軸筒本体２と頭冠４のネジ嵌合の不具合が発生し難い。
【００１２】
また、雄ネジ部５のネジ山の先端面５ｂ及び、雌ネジ部３のネジ山の先端面３ｂが径方向に対して傾斜していると、ネジ嵌合時に雄ネジ部のネジ山５ａが、雌ネジ部３のネジ山３ａに乗り上がる方向へ力が加わるため、初期のネジ嵌合がうまくいかないことがあるので、雄ネジ部５のネジ山の先端面５ｂ及び、雌ネジ部３のネジ山の先端面３ｂは、軸心に沿った方向に対しては法線状に形成するほうが好ましい。
【００１３】
図５は、第１の実施の形態における筆記具の軸筒１に、筆記具用インキ（図示せず）を収容したボールペンレフィル７を、コイルスプリング６により軸筒後端方向に付勢して配設し、頭冠４内に回転カム１５からなる出没機構を装着してなるノック式ボールペンとした図である。この出没機構は、従来から知られているもので、簡単に説明すると、頭冠４の内壁面に回転カム１５を前後に摺動案内し回転させるためのカム溝（図示せず）を形成し、このカム溝に、回転カム１５を係合して配設してある。回転カム１５の後端には、前記回転カム１５を摺動し回転を付与するためのカム部を先端に有したノック体１４を、ノック体１４の後端部が、頭冠４の後端の開口部４ａより外方に突出した状態に配設した構造である。なお、図面中の１３は、軸筒本体２の把持部に装着した軟質材で形成されたグリップである。
【００１４】
本発明の筆記具の軸筒は、雄ネジ部のネジ山の先端面及び／又は雌ネジ部のネジ山の先端面を、軸心に沿った方向で谷部側に傾斜させるが、第１の実施の形態のように、先端面の全てが前記したように傾斜してあってもよいし、図６に示すように、頭冠２４の雄ネジ部２５のネジ山２５ａの先端面２５ｂの一部が傾斜してあってもよい。しかし、先端面が全てを軸方向に傾斜することによって、雄ネジ部が雌ネジ部に進入する際に、雄ネジ部のネジ山と雌ネジ部のネジ山が接触する部分がより減少するので好ましい。また、傾斜面の傾斜角αが鋭角になればなるほど進入する際の抵抗が少なくなるので好ましい。さらに、本発明は、軸心に沿った方向でネジ山とネジ山間の谷部側に傾斜させるが、反対方向への傾斜は、雄ネジ部が雌ネジ部に進入する方向でないので形成しないほうがよい。
【００１５】
本実施の形態では、雄ネジ部のネジ山の先端面及び／又は雌ネジ部のネジ山の先端面を傾斜させているが、少なくともどちらか一方が傾斜してあれば進入時の接触部は減少するので、初期のネジ嵌合が容易になるが、両方傾斜させたほうがより進入時の接触部が少なくなるので好ましい。
【００１６】
また本実施の形態では、便宜上、軸筒構成部材にポリカーボネートを使用しているが、これに限るものでなく、ポリエチレンテレフタレート、ＡＳ樹脂など、筆記具の軸筒構成部材として従来から知られている合成樹脂を適宜選択して使用することができる。
【００１７】
また筆記具の軸筒として、回転カムによるノック式ボールペンの軸筒としているがこれに限るものでなく、キャップ式や回転繰り出し等、従来から知られている筆記具の軸筒構成部材のネジ嵌合において用いることができる。また、筆記具の軸筒を構成する部材の中でもクリップを一体に形成したものは、クリップ形成方向が突出しているため、重量バランスが悪く、機械の振動や製品のバラツキ等により、筆記具の軸筒構成部材のネジ嵌合の不具合を発生し易いので発明の効果は特に顕著である。
【００１８】
【発明の効果】
本発明は、前述したような構成なので、筆記具の軸筒を構成する複数の構成部材をネジ嵌合して連結してなる筆記具の軸筒において、初期のネジ嵌合における雄ネジ部と雌ねじ部のくいつきを良くし、機械の振動や製品のバラツキ等により、筆記具の軸筒構成部材のネジ嵌合の不具合による機械停止や組立における軸筒の破損が起こり難い、機械組みに適した筆記具の軸筒を提供することができた。
【図面の簡単な説明】
【図１】本発明の第１の実施の形態における、ネジ嵌合を説明するための雌ねじ部の断面図及び雄ねじ部の外観図である。
【図２】図１における要部拡大図である。
【図３】図１における一部省略した後軸の斜視図である。
【図４】本発明の初期ネジ嵌合を説明するための概略図である。
【図５】第１の実施の形態を適用した筆記具の一例を示す縦断面図である。
【図６】第１の実施の形態の変形例である。
【図７】従来のネジ嵌合を説明するための雌ねじ部の断面図及び雄ねじ部の外観図である。
【図８】図７における一部省略した後軸の斜視図である。
【図９】従来の初期ネジ嵌合を説明するための概略図である。
【符号の説明】
１  筆記具の軸筒
２、３２  前軸
３、３３  雌ねじ部
３ａ、３３ａ  雌ねじ部のネジ山
３ｂ、３３ｂ  雌ねじ部のネジ山の先端面
３ｃ、３３ｃ  雌ねじ部の谷部
４、２４、３４  頭冠
５、２５、３５  雄ねじ部
５ａ、２５ａ、３５ａ  雄ねじ部のネジ山
５ｂ、２５ｂ、３５ｂ  雄ねじ部のネジ山の先端面
５ｃ、２５ｃ、３５ｃ  雄ねじ部の谷部
６  コイルスプリング
７  ボールペンレフィル
８  インキ収容筒
９  チップホルダー
１０  ボールペンチップ
１１  尾栓
１２  クリップ
１３  グリップ
１４  ノック体
１５  回転カム
【図１】
0004822309.tif 000002
【図２】
0004822309.tif 000003
【図３】
0004822309.tif 000004
【図４】
0004822309.tif 000005
【図５】
0004822309.tif 000006
【図６】
0004822309.tif 000007
【図７】
0004822309.tif 000008
【図８】
0004822309.tif 000009
【図９】
0004822309.tif 000010